(57)【要約】【課題】  斬新な表示が可能な表示装置を提供する。【解決手段】  自発光型表示パネル４０は、表示光を発する。円偏光部材３１は、自発光型表示パネル４０の前方に設けられる。表示部材２２は、表示光が透過する透過部４１を有し、円偏光部材３１の前面側に設けられる。円偏光部材３１は、表示部材２２の後面に、透光性部材３２で密着されている。表示部材２２は、前面側に設けられた光拡散層２２ｂを有する。円偏光部材３１は、自発型表示パネル４０の前面に、透光性部材９２で密着されている。【選択図】図３
2007058188.tif 000002
【特許請求の範囲】
【請求項１】
表示光を発する自発光型表示パネルと、前記自発光型表示パネルの前方に設けられた円偏光部材と、前記表示光が透過する透過部を有し前記円偏光部材の前面側に設けられた表示部材と、を有することを特徴とする表示装置。
【請求項２】
表示光を発する自発光型表示パネルと、前記自発光型表示パネルの前方に設けられた円偏光部材と、前記表示光が透過する透過部を有し前記円偏光部材の前面側に設けられた表示部材と前記表示部材を指示する指針と前記指針を回動させる指針駆動部材とを有する指示計器と、を有することを特徴とする表示装置。
【請求項３】
前記円偏光部材は、前記表示部材の後面に、透光性部材で密着されていることを特徴とする請求項１または請求項２に記載の表示装置。
【請求項４】
前記表示部材は、前面側に設けられた光拡散層を有することを特徴とする請求項１または請求項２に記載の表示装置。
【請求項５】
前記円偏光部材は、前記自発型表示パネルの前面に、透光性部材で密着されていることを特徴とする請求項１または請求項２に記載の表示装置。
【発明の詳細な説明】
【技術分野】
【０００１】
本発明は、有機ＥＬパネル等の自発光型表示パネルを備えた表示装置に関するものである。
【背景技術】
【０００２】
従来より、有機ＥＬパネルを用いた車両用表示装置が種々提案され、例えば特許文献１に開示されている。斯かる車両用表示装置は、ハウジング１に指示計器２及び有機ＥＬパネル３等を収容したものである（図１２参照）。ハウジング１には、円形の開口４ａが形成された見返し部材４と、湾曲形状の透光性カバー５とが係止されている。
【特許文献１】特開２００２−１３２１８７号公報
【０００３】
指示計器２は、文字板６，発光素子７，導光部材８，指針９，ステッピングモータ１０及び回路基板１１を有している。発光素子７は文字板６の後方に配置されており、文字板６は発光素子７の光により透過照明される。指針９は、ステッピングモータ１０により回動され、文字板６を指示する。文字板６には矩形の開口６ａが形成されており、有機ＥＬパネル３は開口６ａに対応する位置に配置されている。有機ＥＬパネル３は、日字形セグメント等からなる複数の可変表示部を有しており、各可変表示部を夫々オン／オフして数字等を表示する。有機ＥＬパネル３の可変表示部が発した表示光は、開口６ａ及び透光性カバー５を通過して視認者に達する。
【発明の開示】
【発明が解決しようとする課題】
【０００４】
しかしながら、上述した車両用表示装置は、有機ＥＬパネル３の可変表示部が非発光状態のときであっても、有機ＥＬパネル３が見えてしまうだけでなく、文字板６に開口６ａがあるために、デザインの観点では必ずしも好ましくないという問題を有していた。
【課題を解決するための手段】
【０００５】
本発明は、請求項１に記載したように、表示光を発する自発光型表示パネル４０と、前記自発光型表示パネル４０の前方に設けられた円偏光部材３１と、前記表示光が透過する透過部４１を有し前記円偏光部材３１の前面側に設けられた表示部材２２と、を有するものである。
【０００６】
また、本発明は、請求項２に記載したように、表示光を発する自発光型表示パネル４０と、前記自発光型表示パネル４０の前方に設けられた円偏光部材３１と、前記表示光が透過する透過部４１を有し前記円偏光部材３１の前面側に設けられた表示部材２２と前記表示部材２２を指示する指針２５と前記指針２５を回動させる指針駆動部材２６とを有する指示計器２１ｂと、を有するものである。
【０００７】
また、本発明は、請求項３に記載したように、前記円偏光部材３１は、前記表示部材２２の後面に、透光性部材３２，９３で密着されているものである。
【０００８】
また、本発明は、請求項４に記載したように、前記表示部材２２は、前面側に設けられた光拡散層２２ｂを有するものである。
【０００９】
また、本発明は、請求項５に記載したように、前記円偏光部材３１は、前記自発型表示パネル４０の前面に、透光性部材９２で密着されているものである。
【発明の効果】
【００１０】
表示部材に開口がないため見栄えが良く、且つ、自発光型表示パネルの可変表示部が発した表示光が表示部材に浮かび上がるような斬新な表示が可能になる。
【発明を実施するための最良の形態】
【００１１】
以下、添付の図面に基づいて、本発明を車両用表示装置に適用した一実施形態を説明する。図１乃至図１０は、第一実施形態を示すものである。
【００１２】
１８はハウジングであり、このハウジング１８には後述する指示計器が収容されている。１９は見返し部材であり、この見返し部材１９は係止爪によりハウジング１８に係止されている。２０は半透過性の透光性カバーであり、この透光性カバー２０は係止爪により見返し部材１９に係止されている。透光性カバー２０は湾曲した形状となっており、後述する指示計器側に凸となっている。
【００１３】
ハウジング１８には４個の指示計器、即ち、燃料計２１ａ，速度計２１ｂ，回転計２１ｃ，水温計２１ｄが収納されている。速度計２１ｂ及び回転計２１ｃは、燃料計２１ａ及び水温計２１ｄよりも大きくなっており、燃料計２１ａ及び水温計２１ｄの間に配置されている。見返し部材１９は、燃料計２１ａ，速度計２１ｂ，回転計２１ｃ，水温計２１ｄに対応する円形の開口１９ａ，１９ｂ，１９ｃ，１９ｄを有している。
【００１４】
各指示計器２１ａ，２１ｂ，２１ｃ，２１ｄは、文字板２２（表示部材），発光ダイオード等の発光素子２３，導光部材２４，指針２５，ステッピングモータ２６（指針駆動部材）及び回路基板２７からなるものである。文字板２２は指針２５に指示される指標部等の固定表示部２８を有している。発光素子２３及び導光部材２４は文字板２２の後方に配置されており、固定表示部２８は発光素子２３が発した光により透過照明される。指針２５はステッピングモータ２６により回動され、文字板２２の指標部２８を指示する。発光素子２３の光は導光部材２４の反射面２４ａにより指針２５の内部に導かれ、指針２５の指示部３０が光輝する。
【００１５】
文字板２２は、ポリカーボネート等の透光性樹脂からなる透光性基板２２ａの前面に光拡散層２２ｂを形成すると共に、後面に遮光層２２ｃを形成したものである（図３参照）。遮光層２２ｃには開口２２ｄが設けられており、この開口２２ｄは、後述する有機ＥＬパネルの窓部になっている。３１は円偏光板（円偏光部材）であり、この円偏光板３１は開口２２ｄに、透光性接着剤３２（透光性部材）を介して、密着されている。円偏光板３１は、直線偏光板３３と接着層３４と複屈折板３５とからなるものである。
【００１６】
４０は有機ＥＬパネルであり、この有機ＥＬパネル４０は速度計２１ｂの文字板２２の後方に設けられている。文字板２２には矩形の窓部４１（透過部）が設けられており、有機ＥＬパネル４０は窓部４１に対応する箇所に配置されている。有機ＥＬパネル４０が発した表示光は、窓部４１及び透光性カバー２０を透過して視認者に達する。４２はケース体であり、このケース体４２で有機ＥＬパネル４０が保持されている。４３は可撓性配線部材であり、この可撓性配線部材４３によって有機ＥＬパネル４０の電極を回路基板３７に搭載されたコネクタ４４に接続している。
【００１７】
次に、図４乃至図７に基づいて、有機ＥＬパネル４０について詳述する。有機ＥＬパネル４０は、ガラス基板からなる透光性基板４５の後面に、ＩＴＯからなる透明電極４６，絶縁層４７，有機層４８，アルミニウム（Ａｌ）等からなる背面電極４９を順次積層したものであり、背面電極４９の後側には封止ガラス５０が配設されている。封止ガラス５０は、紫外線硬化型の接着剤５１で透光性基板４５に固着されている。有機層４８は、少なくとも発光層があれば良いが、ホール輸送層，電子輸送層等があっても良い。
【００１８】
有機ＥＬパネル４０は、数値表示部６１及び単位表示部６２からなる可変表示部６０を有している。数値表示部６１は、日字形に配設された表示セグメント６３からなる６桁の数字表示部６４からなるものである。透明電極４６は、リード部７４と、リード部７４の一端と連なるセグメント部７５と、リード部７４の他端と連なる陽極端子部７６と、陰極端子部７７とを有している。セグメント部７５は日字形に配設されており、このセグメント部７５に各々リード部７４が連設されている。リード部７４は透光性基板４５の一辺側に引き回されており、陽極端子部７６が連設されている。陽極端子部７６及び陰極端子部７７は透光性基板４５の一辺側に列状に配置されている。絶縁層４７には、透明電極４６のセグメント部３５の周縁部と若干重なる開口４７ａが形成されている。背面電極４９は、陰極端子部７７に導通されている。
【００１９】
次に、図８乃至図１０に基づいて円偏光板３１について詳述する。円偏光板３１は、直線偏光板３３と、複屈折板３５とを有している。直線偏光板３３は、６０°の偏光軸３３Ａを有し、複屈折板３５は１５°の遅相軸３５Ａを有している（図１０参照）。つまり、複屈折板３５は、偏光軸３３Ａに対して４５°の遅相軸３５Ａを有している。
【００２０】
外光ａ１は直線偏光板３３を通過して６０°の直線偏光ａ２となり、更に複屈折板３５を通過して右円偏光ａ３となる。そして、有機ＥＬパネル４０の背面電極４９により前向きに反射され左円偏光ａ４となり、複屈折板３５を通過して１５０°の直線偏光ａ５となる。直線偏光ａ５は、偏光軸３３Ａに直交しているため、直線偏光板３３を通過することができない。従って、外光ａ１が有機ＥＬパネル４０に入射し背面電極４９により反射されても直線偏光板３３により遮られる（図８参照）。表示光は直線偏光板３３を通過して、６０°の直線偏光になり、偏光レンズ８４を備えたサングラス８５を着用している人も表示光を視認できる（図９参照）。なお、文字板２２の透光性基板２２ａの光学軸は、偏光軸３３Ａに平行となっている。
上述した偏光軸３３Ａ，遅相軸３５Ａ，直線偏光ａ２，ａ５の角度，透光性基板２２ａの光学軸の角度は、Ｘ軸（有機ＥＬパネル４０の横方向）を基準とするものである。
【００２１】
図１１は第二実施形態を示すものである。第二実施形態は、透光性接着剤９２及び透光性ラバー樹脂９３のみが第一実施形態と相違し、他の構成は第一実施形態と同様であるので、同一の符号を付しその説明を省略する。
【００２２】
有機ＥＬパネル４０は、透光性接着剤９２にて、円偏光板３１の後面に接着されている。有機ＥＬパネル４０の前面に円偏光板３１を密着させることによって、有機ＥＬパネル４０が発した光が、円偏光板３１の後面で反射されて、二重像が発生することを防ぐためである。円偏光板３１は開口２２ｄに、シリコーンゴムからなる透光性ラバー樹脂９３（透光性部材）を介して、密着されている。
【００２３】
第一，第二実施形態は、有機ＥＬパネル４０の前方に円偏光板３１を設けると共に、この円偏光板３１を文字板２２の窓部４１に貼着したことにより、遮光層２２ｃの開口２２ｄ（窓部４１）が目立たなく、発光状態になった有機ＥＬパネル４０の可変表示部６０だけが視認されるため、斬新な表示になる。
【００２４】
なお、本発明は、各実施形態に限定されるものではなく、種々の変形が可能であり、例えば、自発光型表示パネルは蛍光表示管（ＶＦＤ）であっても良い。また、指針駆動部材は、交差コイル型ムーブメント等であっても良い。また、表示パネルに円偏光部材を密着させる透光性部材は、透光性ラバー樹脂であっても良い。また、透光性ラバー樹脂は、例えば、塩化ビニール或いはウレタンゴムからなるものであっても良い。
【図面の簡単な説明】
【００２５】
【図１】本発明の第一実施形態を示す車両用表示装置の正面図。
【図２】同上実施形態を示す断面図。
【図３】同上実施形態を示す要部拡大断面図。
【図４】同上実施形態を示す有機ＥＬパネルの断面図。
【図５】同上実施形態を示す有機ＥＬパネルの正面図。
【図６】同上実施形態を示す有機ＥＬパネルの拡大正面図。
【図７】同上実施形態を示す有機ＥＬパネルの分解斜視図。
【図８】同上実施形態を示す円偏光板の説明図。
【図９】同上実施形態を示す円偏光板の説明図。
【図１０】同上実施形態を示す円偏光板の説明図。
【図１１】本発明の第二実施形態を示す要部拡大断面図。
【図１２】従来例を示す車両用表示装置の断面図。
【符号の説明】
【００２６】
２１ｂ  指示計器
２２    文字板（表示部材）
２２ｂ  光拡散層
２５    指針
２６    ステッピングモータ（指針駆動部材）
３１    円偏光板（円偏光部材）
３２    透光性接着剤（透光性部材）
４０    有機ＥＬパネル（自発光型表示パネル）
４１    窓部（透過部）
９２    透光性接着剤（透光性部材）
９３    透光性ラバー樹脂（透光性部材）
【図１】
2007058188.tif 000003
【図２】
2007058188.tif 000004
【図３】
2007058188.tif 000005
【図４】
2007058188.tif 000006
【図５】
2007058188.tif 000007
【図６】
2007058188.tif 000008
【図７】
2007058188.tif 000009
【図８】
2007058188.tif 000010
【図９】
2007058188.tif 000011
【図１０】
2007058188.tif 000012
【図１１】
2007058188.tif 000013
【図１２】
2007058188.tif 000014